(57)【特許請求の範囲】
【請求項１】
シャーシと、
該シャーシに支持され、ディスク交換位置とディスク収容位置とを移動するトレイと、
ディスクを支持して回転するターンテーブルが設けられた可動ベースと、
前記ターンテーブルとの間で前記ディスクを挟持するクランパと、
前記トレイがディスク収容位置に移動したとき、モータに駆動されて前記ターンテーブルと前記クランパとの間で前記ディスクを挟持するように前記可動ベースを動作させる可動ベース駆動部材と、
前記トレイの一側に設けられ、ディスク外周を係止するディスク係止部と、
前記ディスク係止部と対向する前記トレイの他側に、ディスク半径方向に移動可能に設けられたディスク保持部材と、
前記ディスク保持部材を前記ディスク係止部側に付勢する付勢部材と、
前記可動ベース駆動部材に設けられ、前記可動ベースを動作させるのと略同時に前記ディスク保持部材を前記ディスクに対する係止解除方向に押圧する係止解除部と、
前記ターンテーブルが前記ディスクに当接する直前に、前記ディスクを前記付勢部材の付勢方向と逆の方向に押圧しながら前記ディスク外周を前記ディスク係止部から離間させるディスク押圧部材と、を備えており、
前記ターンテーブルと前記クランパとの間で前記ディスクを挟持する前に前記ディスク押圧部材が前記ディスクを押圧することによって、前記ディスク外周を前記ディスク係止部から離間させ、且つ、前記係止解除部が前記ディスク保持部材を押圧することによって、前記ディスク保持部材を前記ディスク外周から離間させることを特徴とするディスク装置。
【請求項２】
前記請求項１記載のディスク装置であって、
前記ディスク押圧部材は、前記トレイの一側に対向する前記可動ベースに設けられたことを特徴とするディスク装置。
【請求項３】
前記請求項１記載のディスク装置であって、
前記ディスク係止部は、前記ディスクのトレイ挿入側の外周を係止するように形成されており、
前記ディスク押圧部材の押圧動作により前記ディスクの外周を前記ディスク係止部の係止部分から離間させることを特徴とするディスク装置。
【発明の詳細な説明】
【０００１】
【発明の属する技術分野】
本発明はディスク装置に係り、特にディスク状記録媒体（以下「ディスク」と言う）が載置され移動可能に設けられたトレイを有するトレイ方式のディスクローディング機構を備えたディスク装置に関する。
【０００２】
【従来の技術】
従来のディスク装置としては、ＣＤ−ＲＯＭが載置されるトレイが装置内に移動すると、ターンテーブルを有する可動ベースが上方に移動してＣＤ−ＲＯＭをクランプして回転駆動する構成のＣＤ−ＲＯＭ装置がある。
図２５は従来のディスク装置の平面図である。
【０００３】
図２５に示されたディスク装置では、ディスク（ＣＤ−ＲＯＭ）１が載置されるトレイ２、トレイ２の移動をガイドするトレイガイド３、ピックアップ４及びターンテーブル５を支持する可動ベース６を有する構成となっている。トレイ２は、トレイ駆動機構２ａにより駆動されてディスク収容位置又はディスク交換位置へ移動する。
【０００４】
また、可動ベース６は一端が板バネ７により支持されており、他端がスライダカム８に摺接している。そのため、スライダカム８が横方向に摺動すると、可動ベース６は板バネ７のバネ力により他端が上昇してトレイ２に載置されたディスク１がクランパ（図示せず）とターンテーブル５との間でクランプされる。これで、記録再生が可能となる。
【０００５】
ところで、ディスク装置を縦向きに設置した状態で使用する場合、例えば特開平８−７７６７３号にみられるように、ディスク１がトレイ２から脱落したり、あるいはクランプされる前に傾いた状態となってしまうことを防止するため、ディスク１をトレイ２の所定位置に係止するディスク保持部材がトレイ２に設けられている。
【０００６】
このディスク保持部材は、ディスク１の面方向に移動可能に設けられている。そして、トレイ２がディスク交換位置からディスク収容位置に至る間は、ディスク保持部材がトレイ２側に変位してディスク１を垂直状態に保持している。
一方、装置本体内には、ディスク保持部材をディスク１から離間させる方向に移動させるための突起が設けられている。そのため、ディスク保持部材は、トレイ２がディスク収容位置に至る直前に装置本体内に設けられた突起部に当接してディスク１から離間する方向に移動する。これにより、ディスク１は、ディスク保持部材による係止を解除される。
【０００７】
さらに、ターンテーブル５がディスク１をクランプする方向に回動すると、係止解除されたディスク１は、ターンテーブル５とクランパとの間でクランプされる。このようにしてディスク装置が縦向きに設置された場合でも、垂直状態とされたディスク１をトレイ２の移動により装置内に装着してクランプさせることができる。
【０００８】
【発明が解決しようとする課題】
しかしながら、上記構成とされた従来のディスク装置では、トレイ２がディスク収容位置に至る直前にディスク保持部材が係止解除動作し、その後可動ベース６の回動動作によりターンテーブル５がディスク１をクランパに押圧してクランプするため、トレイ２がディスク収容位置に移動して途中でディスク保持部材が係止解除動作を開始する。そのため、従来は、垂直状態で装着されたディスクがクランプされる前に傾いた状態となり、ディスクをターンテーブル５とクランパとの間で正常にクランプできないおそれがある。
【０００９】
また、従来のディスク装置においては、ディスク保持部材がバネ力によりディスク１の面方向に移動してディスク１をトレイ２側に押圧して保持する構成であるので、ディスク１を保持するために比較的大きなばね力を要する。そのため、トレイ２がディスク収容位置に至る際の相対的動きによりディスク保持部材を係止解除方向に移動させるため、係止解除のために比較的大きな負荷が可動ベースを駆動するモータに印加される。よって、従来のような構成では、可動ベースを駆動するモータが大型化するといった問題がある。
【００１０】
そこで、本発明は上記課題を解決したディスク装置を提供することを目的とする。
【００１１】
【課題を解決するための手段】
上記課題を解決するため、本発明は以下のような特徴を有する。
上記請求項１の発明は、シャーシと、
該シャーシに支持され、ディスク交換位置とディスク収容位置とを移動するトレイと、
ディスクを支持して回転するターンテーブルが設けられた可動ベースと、
前記ターンテーブルとの間で前記ディスクを挟持するクランパと、
前記トレイがディスク収容位置に移動したとき、モータに駆動されて前記ターンテーブルと前記クランパとの間で前記ディスクを挟持するように前記可動ベースを動作させる可動ベース駆動部材と、
前記トレイの一側に設けられ、ディスク外周を係止するディスク係止部と、
前記ディスク係止部と対向する前記トレイの他側に、ディスク半径方向に移動可能に設けられたディスク保持部材と、
前記ディスク保持部材を前記ディスク係止部側に付勢する付勢部材と、
前記可動ベース駆動部材に設けられ、前記可動ベースを動作させるのと略同時に前記ディスク保持部材を前記ディスクに対する係止解除方向に押圧する係止解除部と、
前記ターンテーブルが前記ディスクに当接する直前に、前記ディスクを前記付勢部材の付勢方向と逆の方向に押圧しながら前記ディスク外周を前記ディスク係止部から離間させるディスク押圧部材と、を備えており、
前記ターンテーブルと前記クランパとの間で前記ディスクを挟持する前に前記ディスク押圧部材が前記ディスクを押圧することによって、前記ディスク外周を前記ディスク係止部から離間させ、且つ、前記係止解除部が前記ディスク保持部材を押圧することによって、前記ディスク保持部材を前記ディスク外周から離間させることを特徴とするものである。
【００１２】
従って、請求項１記載の発明によれば、トレイの一側に設けられたディスク係止部がディスク外周の一側を係止し、トレイの他側に設けられたディスク保持部材が付勢部材に付勢されてディスク外周の他側を係止するため、トレイに挿入されたディスクを垂直状態に係止してトレイをディスク収容位置に移動させることが可能になる。
さらに、ディスク外周が２方向からトレイのディスク係止部とディスク保持部材とにより係止されているので、比較的小さな力でディスクを垂直状態に保持することができる。また、ディスク保持部材が付勢部材によりディスク係止部側に付勢されているので、ディスクを付勢部材に抗して取り付ければ良いので、ディスクの装着操作が容易に行える。
そして、ターンテーブルとクランパとの間でディスクを挟持する前にディスク押圧部材がディスクを押圧することによって、ディスク外周をディスク係止部から離間させ、且つ、係止解除部がディスク保持部材を押圧することによって、ディスク保持部材をディスク外周から離間させるため、可動ベースがクランプ側に変位すると共にディスクの係止解除動作を行うことができる。そのため、垂直状態で装着されたディスクがクランプされる前に傾くことが防止され、ディスクを正常な状態でクランプすることができる。
【００１３】
また、請求項２記載の発明は、前記請求項１記載のディスク装置であって、
ディスク押圧部材が、トレイの一側に対向する前記可動ベースに設けられたことを特徴とするものである。
【００１４】
従って、請求項２記載の発明によれば、ディスク押圧部材が、トレイの一側に対向する可動ベースに設けられため、可動ベースがクランプ側に変位すると共にディスクの係止解除動作を行うことができる。そのため、垂直状態で装着されたディスクがクランプされる前に傾くことが防止され、ディスクを正常な状態でクランプすることができる。
また、請求項３記載の発明は、前記請求項１記載のディスク装置であって、係止部が、ディスクのトレイ挿入側の外周を係止するように形成されており、ディスク押圧部材の押圧動作によりディスクの外周をディスク係止部の係止部分から離間させることを特徴とするものである。
従って、請求項３記載の発明によれば、ディスク押圧部材の押圧動作によりディスクの外周を、ディスクのトレイ挿入側の外周を係止するように突出形成されたディスク係止部の係止部分から離間させるため、ディスクをクランプする際にディスクがディスク係止部に接触せず、垂直状態のディスクを安定的にクランプすることができる。
【００１５】
【発明の実施の形態】
以下図面と共に本発明の実施の形態について説明する。
図１は本発明になるディスク装置の一実施例の分解斜視図である。図２はトレイ１２のガイド溝を残してトレイ１２を外した状態の平面図である。図３は可動ベース駆動機構２６付近の構造を示す正面図である。
【００１６】
図１乃至図３に示すように、ディスク装置１１は、ＣＤ−ＲＯＭ装置であり、大略、ＣＤ−ＲＯＭ（ディスク状記録媒体）が載置されるトレイ１２がディスク交換位置またはディスク収容位置との間をＡ，Ｂ方向に移動可能に取り付けられている。トレイ１２は、パソコン本体等に固定されるシャーシ１３に移動自在に支持される。
【００１７】
フローティングシャーシ１４は、シャーシ１３にフローティング状態に支持されるように取り付けられる。すなわち、フローティングシャーシ１４の前側とシャーシ１３との間には、振動を吸収するインシュレータゴム１５が２箇所に介在している。また、フローティングシャーシ１４には、可動ベース１６が昇降可能に支持される。
【００１８】
さらに、クランパホルダ１７がフローティングシャーシ１４に対し上方から取り付けられる。クランパホルダ１７は、フローティングシャーシ１４の上方に横架されるように両端がフローティングシャーシ１４の両側部に固定される。そして、クランパホルダ１７の中央穴１７ａにはディスクの中央孔に嵌合するクランパ１８が回転可能に取り付けられている。
【００１９】
このため、フローティングシャーシ１４の重量にクランパホルダ１７及びクランパ１８の重量が加算される。よって、フローティングシャーシ１４にかかる荷重が増大して振動しにくくなると共に、フローティングシャーシ１４の固有振動数が変化して共振周波数がずれて振動が発生しにくくなる。
可動ベース１６の上面には、ディスクを回転可能に支持するターンテーブル１９及びターンテーブル１９を回転駆動するディスクモータ２０が支持される。また、可動ベース１６の上面開口１６ａには、ディスクの記録面に記録された情報を光学的に読み取るピックアップ２１がディスク半径方向（Ａ，Ｂ方向）に移動可能に設けられている。
【００２０】
また、可動ベース１６の一端には、板バネ２２が取り付けられている。フローティングシャーシ１４の後部は、シャーシ１３に対しインシュレータゴム１５を介してフローティング状態に支持される。そして、可動ベース１６の他端には、昇降動作の駆動力が伝達される一対のピン２３がＡ方向に突出している。
さらに、可動ベース１６の上面には、ディスク装置１１が縦向きに（ディスクが垂直状態でクランプされる向き）に設置された場合、ディスククランプ動作を補助するためのディスク押圧片１６ｂ，１６ｃが突出している。このディスク押圧片１６ｂ，１６ｃは、ディスクの外周に当接する傾斜部を有する。
【００２１】
また、シャーシ１３の前側には、前面ベゼル２４が取り付けられる。前面ベゼル２４はトレイ１２が移動する際に通過するための開口２５を有する。そのため、ディスク交換を行う場合、トレイ１２は前面ベゼル２４の開口２５からＡ方向に引き出される。そして、ディスクを装着させる際は、ディスクが載置されたトレイ１２がＢ方向に移動し、開口２５を通過して装置内のディスク収容位置に引き込まれる。
【００２２】
尚、前面ベゼル２４には、トレイ１２の移動に応じて開口２５を開閉する開閉蓋が設けられていない。そのため、トレイ１２がディスク収容位置に移動した際、トレイ１２の前面は開口２５から露出された状態となる。
また、シャーシ１３及びフローティングシャーシ１４の前側には、可動ベース１６の他端側を昇降させる可動ベース駆動機構２６が設けられている。この可動ベース駆動機構２６は、シャーシ１３の上面をＣ，Ｄ方向に摺動可能に取り付けられた第１スライダ２７と、フローティングシャーシ１４の上面をＣ，Ｄ方向に摺動可能に取り付けられた第２スライダ２８と、第１スライダ２７の摺動位置に応じて回動動作するイマージェンシーアーム３４とを有する。
【００２３】
可動ベース駆動機構２６を駆動する駆動モータ１０６は、シャーシ１３上に取り付けられており減速ギヤ群（図示せず）を介して２段ギヤ２９を駆動する。この駆動モータ１０６は、制御回路（図示せず）からの制御信号により回転方向が切替えられるように駆動制御され、可動ベース１６の他端側を昇降させると共に、トレイ１２をＡ，Ｂ方向に移動させる際の駆動源としても機能する。
【００２４】
ここで、トレイ１２の構成について説明する。
図１に示されるように、トレイ１２は、上面側にディスクが載置される環状のディスク載置部３０が形成されている。そして、ディスク載置部３０の内側には、ターンテーブル１９及びピックアップ２１が対向するための開口３１が設けられている。また、ディスク載置部３０のＡ方向側には、ディスクホルダ３２がＡ，Ｂ方向に移動可能に取り付けられ、ディスク載置部３０のＢ方向側には、ディスクの周縁部を係止するためのディスク係止部３３、３３が設けられている。
【００２５】
ディスクホルダ３２は、第１スライダ２７のピンが当接する傾斜部３２ａと、ディスク周縁部を係止するためのディスク係止部３２ｂとを有する。また、ディスクホルダ３２は、ディスクがディスク載置部３０に載置された後、Ｂ方向に移動する。
これにより、ディスクはディスクホルダ３２によりＡ方向側を係止されると共に、Ｂ方向側が一対のディスク係止部３３、３３に係止される。そのため、ディスク装置が縦向きに設置された場合でもディスクがトレイ１２から脱落しないようになっている。
【００２６】
さらに、トレイ１２の左側面の後部には、ディスク交換位置に移動する際のストッパ１２ａが設けられている。
図４はトレイ１２を下方からみた底面図である。
図４に示すように、トレイ１２の下面には、駆動モータ１０６のギヤ１０６ａが噛合するラック４０がＡ，Ｂ方向に延在形成されている。また、トレイ１２の下面には、第１スライダ２７のスライド動作をガイドする第１ガイド溝４２と、第２スライダ２８のスライド動作をガイドする第２ガイド溝４４とが設けられている。第１ガイド溝４２は、両側がトレイ１２の下面から突出する壁部４２ａ，４２ｂに囲まれた空間よりなる。そして、第１スライダ２７は、ピン７３が第１ガイド溝４２の傾斜部４２ｃを通過する際にＣ，Ｄ方向に移動する。
【００２７】
尚、第１ガイド溝４２は、Ａ，Ｂ方向上トレイ１２の開口３１と重なる位置に設けられている。そのため、第１スライダ２７のピン７３は、開口３１と対向する位置にあるときは、第１ガイド溝４２に嵌合しておらず、トレイ１２がディスク収容位置に至る過程で相対的に第１ガイド溝４２に嵌合する。
また、第２ガイド溝４４も上記第１ガイド溝４２と同様に両側がトレイ１２の下面から突出する壁部４４ａ，４４ｂに囲まれた空間よりなる。そして、第２スライダ２８は、ピン８３が第２ガイド溝４４の傾斜部４４ｃ，４４ｄを通過する際にＣ，Ｄ方向に移動する。
【００２８】
トレイ１２のＡ方向側の端部には、ディスクホルダ３２がＡ，Ｂ方向に移動可能に取り付けられる取付穴４５が設けられている。また、トレイ１２の下面の両側には、Ａ，Ｂ方向に延在形成された摺動部４６，４７が一体的に設けられている。
また、トレイ１２には、可動ベース１６のディスク押圧片１６ｂ，１６ｃが進入するための開口１２ｂ，１２ｃが設けられている。
【００２９】
次にシャーシ１３の構成について説明する。
図１に示されるように、シャーシ１３は、両側の側壁５１，５２の内面にトレイ１２を支持するトレイ支持部５３，５４が設けられている。この支持部５３，５４は、トレイ１２の下面に形成された摺動部４６，４７に当接してトレイ１２を摺動可能に支持するように複数箇所（本実施例では、３箇所）に設けられている。さらに、側壁５１，５２のＡ，Ｂ方向の中間位置には、凹部５１ａ，５２ａが設けられている。
【００３０】
また、シャーシ１３の底部に形成された開口４８の縁部には、第１スライダ２７を摺動可能に保持する一対の爪部５５，５６が設けられている。そして、シャーシ１３の底部には、円弧状穴５７が設けられ、円弧状穴５７の両端の下方にはマイクロスイッチからなる排出スイッチ５８、クランプスイッチ５９がシャーシ１３の下部に支持されているプリント基板１０４に取り付けられている。さらに、シャーシ１３の底部の前側には、前述したインシュレータゴム１５の形状に対応した段付き凹部６０が設けられている。
【００３１】
次にフローティングシャーシ１４の構成について説明する。
図１及び図２に示されるように、フローティングシャーシ１４は、シャーシ１３に対し複数のインシュレータゴム１５によりフローティング状態に支持されている。そのため、シャーシ１３に入力された振動は、複数のインシュレータゴム１５で吸収されて絶縁される。
【００３２】
また、フローティングシャーシ１４には、可動ベース１６が昇降するための開口６１が設けられている。この開口６１のＢ方向側には、可動ベース１６を昇降可能に支持する板バネ２２が固定される取付部６２が形成されている。そして、フローティングシャーシ１４の底面及び両側面の角部には、シャーシ１３に設けられたトレイ支持部５３，５４が遊嵌状態で挿通される穴６３，６４が設けられている。
【００３３】
従って、トレイ支持部５３，５４は、フローティングシャーシ１４と非接触状態に組み込まれている。そのため、フローティングシャーシ１４は、シャーシ１３に入力された振動がトレイ支持部５３，５４を介して伝達されないように取り付けられている。
さらに、フローティングシャーシ１４の底面には、２段ギヤ２９ａが挿通される円形の孔６５と、第１スライダ２７からのピンが挿通される長方形の開口６６が設けられている。
【００３４】
また、フローティングシャーシ１４の両側面の上端には、クランパホルダ１７の両端部が固定される平面状の取付部６７，６８が設けられている。この取付部６７，６８は、フローティングシャーシ１４の両側面より外側に突出するように形成されている。さらに、シャーシ１３の側壁５１，５２には、凹部５１ａ，５２ａが設けられているので、フローティングシャーシ１４がシャーシ１３に取り付けられる際、取付部６７，６８は側壁５１，５２の凹部５１ａ，５２ａに挿入され、フローティングシャーシ１４はシャーシ１３に非接触状態に取り付けられる。
【００３５】
次に可動ベース駆動機構２６について説明する。
図５（Ａ）〜（Ｃ）は可動ベース駆動機構２６の第１スライダ２７の構成を説明するための図である。
第１スライダ２７は、ギヤ２９ａに噛合するラック７１と、シャーシ１３の段部に当接してＣ方向に付勢するばね部７２と、上方に突出して第２スライダ２８に係合する係合ピン７３と、爪部５５，５６に摺動可能に係合して摺動位置をガイドされるガイド部７４，７５とを有する。ばね部７２は、Ｄ方向に傾斜して延在された弾性体であり、トレイ１２がディスク交換位置に変位したときに弾性変形されて第１スライダ２７をＣ方向に付勢する。
【００３６】
また、第１スライダ２７の下面には、イマージェンシーアーム３４から上方に突出するピン９６が嵌合するカム溝７６がＣ，Ｄ方向に対して所定角度傾斜して設けられている。このイマージェンシーアーム３４はカム溝７６に係合することにより回動して排出スイッチ５８又はクランプスイッチ５９を押圧してオン状態に切り替える。
【００３７】
図６（Ａ）〜（Ｃ）は可動ベース駆動機構２６の第２スライダ２８の構成を説明するための図である。
第２スライダ２８は、側方からみるとＬ字状に形成され、フローティングシャーシ１４を摺動する平面部８１と、平面部８１の縁部から下方に垂下されたカム部８２とからなる。平面部８１は、上方に突出するピン８３と、摺動方向（Ｃ，Ｄ方向）に延在形成された一対の長孔８４，８５と、第１スライダ２７から起立した係合ピン７３が遊嵌状態に挿入される四角形状の穴８６と、フローティングシャーシ１４の開口６６の縁部に係合されて摺動方向がガイドされるように突出するガイド部８７と、フローティングシャーシ１４の開口６１の縁部に係合されて摺動方向がガイドされるように突出するガイド部８８とを有する。
【００３８】
また、カム部８２には、可動ベース１６の前端から突出する一対のピン２３が挿通される傾斜溝８９，９０が貫通している。そのため、第２スライダ２８がＣ方向に摺動すると、可動ベース１６の一対のピン２３が相対的に傾斜溝８９，９０に沿って上動する。よって、可動ベース１６に支持されたターンテーブル１９及びピックアップ２１がフローティングシャーシ１４の開口６１を通過して上方に変位する。
【００３９】
これにより、トレイ１２に載置されたディスクは、ターンテーブル１９により持ち上げられてクランパ１８との間でクランプされる。これと共にピックアップ２１がクランプされたディスクの下面に対向してディスクに記録された情報を読み取ることができる。
また、長孔８４，８５には、フローティングシャーシ１４上に設けられた突起９１，９２が嵌合する。そのため、第２スライダ２８は、長孔８４，８５と突起９１，９２との嵌合により摺動方向がＣ，Ｄ方向となるように規制される。
【００４０】
図７（Ａ）〜（Ｃ）は可動ベース駆動機構２６のイマージェンシーアーム３４の構成を説明するための図である。
イマージェンシーアーム３４は、棒状に延在するアーム本体９３と、アーム本体９３の一端より下方に突出する回転軸９４と、アーム本体９３の他端より下方に突出する押圧ピン９５と、アーム本体９３の他端より上方に突出し押圧ピン９５と同軸的に設けられた第１スライダ２７のカム溝７６に嵌合するピン９６とを有する。
【００４１】
また、イマージェンシーアーム３４は、アーム本体９３の下面側にアーム本体９３の長手方向に延在する係止部９７が設けられている。この係止部９７の先端には、半球状の突起９７ａが突出している。この突起９７ａは、イマージェンシーアーム３４が取り付けられるシャーシ１３の取付部９８に設けられた小径な凹部９８ａに嵌合する。
【００４２】
イマージェンシーアーム３４は、回転軸９４がシャーシ１３の取付部９８に設けられた取付孔９９に挿通され、押圧ピン９５がシャーシ１３に設けられた円弧状穴５７に挿通される。回転軸９４には、取付孔９９の内壁を押圧して抜けを防止する押圧部９４ａが設けられている。また、イマージェンシーアーム３４が回転軸９４を中心として回動すると、押圧ピン９５は、シャーシ１３の下面に配置された排出スイッチ５８又はクランプスイッチ５９を押圧してオン状態に切り替える。
【００４３】
そのため、係止部９７がシャーシ１３の凹部９８ａに係止されると、イマージェンシーアーム３４は押圧ピン９５がクランプスイッチ５９を押圧する位置に係止される。
また、イマージェンシーアーム３４は、アーム本体９３の側面に半円形状に凹んだ凹部１００が形成されている。この凹部１００は、トレイ１２を駆動するモータ１０６又はモータ１０６を制御する電気系統で故障が発生して装置内に装着されたディスクをイジェクトできない場合に押圧操作される。
【００４４】
すなわち、前面ベゼル２４の正面に設けられた小孔２４ａから針金状のピン（図示せず）が挿入されて、イマージェンシーアーム３４の凹部１００がピンにより押圧されると、イマージェンシーアーム３４が回動する。そのため、第１スライダ２７及び第２スライダ２８が上記手動操作により摺動して可動ベース１６を降下させてディスクのクランプを解除できると共に、トレイ１２をＡ方向に移動させてディスクを取り出すことができる。
【００４５】
ここで、上記のように構成された可動ベース駆動機構２６の動作をトレイ１２の動作と共に説明する。
図８はトレイ１２がディスク交換位置に移動した状態を示す側面図である。
図８に示されるように、トレイ１２がＡ方向に引き出されてディスク交換位置に移動された状態では、可動ベース１６の前端が降下している。そのため、可動ベース１６は、回動支点としての板バネ２２が撓んで傾斜した状態となる。よって、ターンテーブル１９及びピックアップ２１は、可動ベース１６と共に降下している。
【００４６】
図９はトレイ１２がディスク交換位置に移動したときの可動ベース駆動機構２６の動作状態▲１▼を示す平面図である。
図９に示されるように、トレイ１２がディスク交換位置に移動した状態においては、トレイ１２のラック４０がモータ１０６に駆動されるギヤ２９ａに噛合している。また、第２スライダ２８は、ピン８３がトレイ１２の下面側に形成されたガイド溝４４に嵌合して傾斜部４４ｄを通過した位置にあるため、Ｄ方向に移動した位置にロックされている。
【００４７】
そして、第１スライダ２７のピン７３は、第２スライダ２８の穴８６に係合しているので、第２スライダ２８と共にＤ方向に移動している。そのため、第１スライダ２７のラック７１は、ギヤ２９ａから離間した駆動解除位置にある。また、第１スライダ２７の右端側に設けられた押圧部７２は、シャーシ１３の凹部９８ａの内壁に当接されて弾性変形している。
【００４８】
第２スライダ２８は、可動ベース１６の前端から突出する一対のピン２３が挿通される傾斜溝８９，９０を有するため、第２スライダ２８がＤ方向に摺動すると、可動ベース１６の一対のピン２３が相対的に傾斜溝８９，９０に沿って下動する。よって、可動ベース１６は図８に示す傾斜状態に変位する。
さらに、第１スライダ２７の下方に取り付けられた、イマージェンシーアーム３４はピン９６が第１スライダ２７のカム溝７６に嵌合しているため、Ｅ方向に回動している。これにより、イマージェンシーアーム３４の押圧ピン９５は、シャーシ１３の下面に配置された排出スイッチ５８を押圧してオン状態としている。
【００４９】
図１０はトレイ１２がディスク交換位置からＢ方向に移動し始めたときの可動ベース駆動機構２６の動作状態▲２▼を示す平面図である。
トレイ１２のディスク載置部３０にディスクが載置された後、トレイ１２がＢ方向に押圧操作される。このようにしてトレイ１２がディスク交換位置からＢ方向に移動し始めると、図１０に示されるように、トレイ１２の下面に設けられたガイド溝４４の傾斜部４４ｄが第２スライダ２８のピン８３をＣ方向に押圧して第２スライダ２８をＣ方向に移動させる。
【００５０】
また、第１スライダ２７の右端側に設けられた押圧部７２はシャーシ１３の凹部９８ａを押圧しているので、その反作用により第１スライダ２７をＣ方向に付勢している。よって、第１スライダ２７及び第２スライダ２８は、ガイド溝４４の傾斜部４４ｄに沿ってスムーズにＣ方向に移動し始める。
これにより、イマージェンシーアーム３４は、Ｆ方向に回動して押圧ピン９５がシャーシ１３の下面に配置された排出スイッチ５８から離間する。そのため、排出スイッチ５８は、オフ状態に切り替わる。そして、排出スイッチ５８がオフになると、２段ギヤ２９が時計方向に回転駆動される。
【００５１】
図１１はトレイ１２がＢ方向に移動するときの可動ベース駆動機構２６の動作状態▲３▼を示す平面図である。
図１１に示されるように、トレイ１２がモータ１０６に回転駆動力によりＢ方向に移動してディスク収容位置の直前位置に至ると、トレイ１２のラック４０がギヤ２９ａから離間する。これと共に、第１スライダ２７のピン７３及び第２スライダ２８のピン８３は、トレイ１２の下面に設けられたガイド溝４２の傾斜部４２ｃ及びガイド溝４４の傾斜部４４ｄに沿ってＣ方向に摺動する。
【００５２】
そのため、第１スライダ２７のラック７１がギヤ２９ａに噛合する位置に移動する。これにより、第１スライダ２７のピン７３及び第２スライダ２８のピン８３は、トレイ１２の下面に設けられたガイド溝４２の傾斜部４２ｃ及びガイド溝４４の傾斜部４４ｄをＣ方向に押圧することによりトレイ１２をＢ方向に移動させてディスク収容位置に移動させる。
【００５３】
図１２はトレイ１２がディスク収容位置に移動したときの可動ベース駆動機構２６の動作状態▲４▼を示す平面図である。
図１２に示されるように、トレイ１２がモータ１０６に回転駆動力により第１スライダ２７のラック７１がＣ方向に駆動されて最左端位置に至ると、第２スライダ２８もピン７３に駆動されて最左端位置に移動する。そのため、第２スライダ２８の傾斜溝８９，９０がＣ方向に移動することにより、可動ベース１６の前端から突出する一対のピン２３が上動する。
【００５４】
よって、可動ベース１６に支持されたターンテーブル１９がトレイ１２に載置されたディスクを持ち上げ、ターンテーブル１９上に突出するテーパ部分がディスクの芯だしを行いながら、クランパ１８にディスクを押圧する。これと同時に、ピックアップ２１がディスクの下面に対向してディスクに記録された情報を読み取ることが可能な状態となる。
【００５５】
この状態において、第１スライダ２７のピン７３は、トレイ１２のガイド溝４２の壁部４２ａに当接してトレイ１２のＡ方向への移動を阻止する。また、イマージェンシーアーム３４は、Ｆ方向に回動して押圧ピン９５がシャーシ１３の下面に配置されたクランパスイッチ５９を押圧してオン状態に切り替える。
クランパスイッチ５９がオンになると、モータ１０６への通電が停止されてモータ１０６の回転が停止される。尚、第２スライダ２８のピン８３は、ガイド溝４４の壁部４４ａ，４４ｂから離間している。
【００５６】
図１３はディスク再生状態のときの可動ベース駆動機構２６の動作状態▲５▼を示す平面図である。
図１３に示されるように、モータ１０６が所定時間上記とは逆方向に回転駆動される。これにより、ギヤ２９ａに噛合するラック７１を有する第１スライダ２７はＤ方向に移動する。そのため、第１スライダ２７から上方に突出するピン７３は第２スライダ２８の穴８６の略中間位置に至り、遊嵌状態で嵌合する。
【００５７】
このように、第１スライダ２７のピン７３が第２スライダ２８の穴８６と非接触となるため、シャーシ１３に入力された振動が第１スライダ２７を介して第２スライダ２８に伝播することが防止される。
尚、上記のようにモータ１０６が逆回転したとき、イマージェンシーアーム３４は、突起９７ａがシャーシ１３の凹部９８ａに嵌合しているため、回動せず押圧ピン９５がクランパスイッチ５９をオン状態に押圧している。
【００５８】
図１４は可動ベース１６がディスククランプ位置に上動した状態を示す側面図である。図１５は可動ベース１６がディスククランプ位置に上動した状態を示す正面図である。
上記のように動作状態▲１▼〜▲５▼により、可動ベース１６は図８に示す傾斜状態から図１４及び図１５に示すように水平状態に上動し、ターンテーブル１９とクランパ１８との間にディスクをクランプする。これで、ピックアップ２１は、装置内に装着されたディスクに記録された情報を読み取ることができる。
【００５９】
このように、トレイ１２がディスク収容位置に移動した状態では、シャーシ１３に設けられたギヤ２９ａ、トレイ１２、第１スライダ２７、イマージェンシーアーム３４は、フローティングシャーシ１４に設けられた第２スライダ２８、可動ベース１６と分離された非接触状態となる。また、フローティングシャーシ１４は、シャーシ１３にインシュレータゴム１５を介してフローティング状態に支持されているので、例え外部振動がシャーシ１３又はトレイ１２に入力されても可動ベース１６に伝播することが防止される。よって、振動伝播によるピックアップ２１のオフトラック発生を防止できる。
【００６０】
また、トレイ１２に接触した場合でもその衝撃が可動ベース１６に伝播しないため、従来のように前面ベゼル２５の開口２５に開閉蓋を設けずに済み、その分部品点数を削減して組み付け工程を簡略化することができる。また、可動ベース１６が水平状態に上動すると、可動ベース１６上に取着されたゴム部材１０５がフローティングシャーシ１４の下面に押圧されて弾性変形する。よって、可動ベース１６はゴム部材１０５の弾性復元力により下方向に付勢された状態となり、一対のピン２３が第２のスライダ２３が第２のスライダ２８の傾斜溝８９，９０に押圧されてがたつきのない状態に支持される。
【００６１】
図１６は上記動作状態▲１▼〜▲５▼に対応する各動作部分のタイムチャートである。尚、図１６（ａ）はモータ１０６の動作状態を示す。図１６（ｂ）はトレイ１２の動作状態を示す。図１６（ｃ）は第１スライダ２７の動作状態を示す。図１６（ｄ）は第２スライダ２８の動作状態を示す。図１６（ｅ）はイマージェンシーアーム３４の動作状態を示す。図１６（ｆ）は排出スイッチ５８、クランプスイッチ５９の動作状態を示す。図１６（ｇ）は可動ベース１６の動作状態を示す。図１６（ｈ）はディスクホルダ３２の動作状態を示す。図１６（ｉ）はディスクの動作状態を示す。
【００６２】
図１７はディスク装置１１が縦向きに取り付けられた場合のトレイ１２がディスク交換位置に引き出された動作状態▲１▼’を示す側面図である。図１８はディスク１０１がトレイ１２に装着される様子を示す平面図である。図１９はディスク１０１がトレイ１２に装着された状態を示す平面図である。
図１７に示されるように、トレイ１２は、前述したようにディスク載置部３０のＡ方向側にディスクホルダ３２が設けられ、ディスク載置部３０のＢ方向側にディスク係止部３３、３３が設けられている。
【００６３】
ディスクホルダ３２は、トレイ１２の下面側に横架された棒状のばね１０２の中間位置に保持されている。また、ばね１０２の両端は、トレイ１２の下面に形成されたばね係止部１０３，１０４により係止されている。そのため、ディスクホルダ３２は、ばね１０２の付勢力によりディスク１０１を半径方向から保持することができる。このようにディスク１０１を半径方向から保持する場合、面方向から保持する場合よりも比較的小さな力でディスク１０１を垂直状態に保持することができる。
【００６４】
さらに、トレイ１２には、可動ベース１６のディスク押圧片１６ｂ，１６ｃが進入するための開口１２ｂ，１２ｃが設けられている。
そして、ディスク係止部３３、３３とディスクホルダ３２との離間距離は、ディスク１０１の直径よりも若干小さい寸法（数ｍｍ程度）となるように設けられている。そのため、ディスク１０１がトレイ１２のディスク載置面３０に装着する場合、まず図１８に示すようにディスク１０１のＢ方向側の周縁部をディスク係止部３３、３３に係止させる。
【００６５】
続いて、図１８中の矢印方向にディスク１０１を回動させることにより、図１９に示すようにディスク１０１はＡ方向側の周縁部をディスクホルダ３２のディスク係止部３２ｂに係止される。その際、ディスクホルダ３２は、ばね１０２がＡ方向に変形することによりディスク１０１の装着動作を許容する。
そのため、ディスク１０１は、垂直状態のままディスク係止部３３、３３とディスクホルダ３２とより周縁部を係止されてトレイ１２のディスク載置面３０に保持される。
【００６６】
図２０はディスク装置１１が縦向きに取り付けられた場合のトレイ１２がディスク収容位置に移動されたクランプ前の動作状態▲２▼’を示す側面図である。
図２０に示されるように、トレイ１２がモータ１０６の回転駆動力によりＢ方向に移動してディスク収容位置に到着する直前に可動ベース１６より起立したディスク押圧片１６ｂ，１６ｃがトレイ１２の開口１２ｂ，１２ｃに進入する。そのため、ディスク１０１は、ディスク押圧片１６ｂ，１６ｃに当接してＡ方向に押圧される。これにより、ディスク１０１は、ディスク係止部３３、３３から離間する。
【００６７】
このとき、第１スライダ２７は下方（Ｃ方向）に移動する。そして、第１スライダ２７から突出したピン７３は、ディスクホルダ３２の傾斜部３２ａに当接する。
図２１及び図２２はディスク装置１１が縦向きに取り付けられた場合のディスクがクランプされた動作状態▲３▼’を示す側面図及び平面図である。
【００６８】
図２１及び図２２に示されるように、第１スライダ２７が下方（Ｃ方向）に移動するのに伴って、第１スライダ２７もピン７３がディスクホルダ３２の傾斜部３２ａをＡ方向に押圧するため、ディスクホルダ３２がＡ方向に変位する。そのため、ディスクホルダ３２がディスク１０１の周縁部から離間する。これと同時に、可動ベース１６の前端部分が回動変位してターンテーブル１９及びピックアップ２１がディスク１０１側に変位する。
【００６９】
そのため、ディスク１０１の中心孔１０１ａは、ターンテーブル１９のテーパ部にガイドされながら芯だしされてＡ方向に約１ｍｍ移動する。これにより、ディスク１０１は、垂直状態まま脱落することなくディスク押圧片１６ｂ，１６ｃから離間すると共にターンテーブル１９とクランパ１８との間でクランプされる。また、ディスクホルダ３２によりディスク１０１を半径方向から比較的小さい力で垂直状態に保持できるので、ディスクホルダ３２を係止解除位置に移動させるための負荷が小さくなり、第１スライダ２７を駆動するモータ１０６の小型化を図ることが可能となる。
【００７０】
図２３及び図２４はディスク装置１１が縦向きに取り付けられた場合のイジェクト動作直前の動作状態▲４▼’を示す側面図及び平面図である。
図２３及び図２４に示されるように、ディスク装置１１に装着されたディスク１０１をイジェクトする場合、モータ１０６が逆回転されて第１スライダ２７が上方（Ｄ方向）に移動すると共に、可動ベース１６がディスク１０１から離間する方向に回動する。その際、クランパ１８が、クランパホルダ１７の中央穴１７ａに遊嵌されているため、ターンテーブル１９の移動と共にディスク１０１と一体となって同方向に１ｍｍ程度変位する。
【００７１】
その間に第１スライダ２７のピン７３がＤ方向に移動し、ディスクホルダ３２がばね１０２のばね力によりＢ方向に移動してディスク１０１の面方向への移動を規制する。
そして、クランプが解除されて可動ベース１６が退避すると、ディスク１０１は、装着前と同様にディスクホルダ３２及びディスク係止部３３，３３により周縁部の３点を係止される。これで、ディスク１０１は垂直状態のままトレイ１２に係止され、イジェクト可能となる。
【００７２】
また、上記動作状態▲１▼’〜▲４▼’の動作タイミングは、図１６に図示されている。
尚、上記実施例では、ＣＤ−ＲＯＭ装置を一例として挙げたが、これに限らず、ＣＤ−ＲＯＭ以外の記録媒体が装着されるディスク装置にも適用できるのは勿論である。
【００７３】
【発明の効果】
上述の如く、上記請求項１の発明によれば、トレイの一側に設けられたディスク係止部がディスク外周の一側を係止し、トレイの他側に設けられたディスク保持部材が付勢部材に付勢されてディスク外周の他側を係止するため、トレイに挿入されたディスクを垂直状態に係止してトレイをディスク収容位置に移動させることが可能になる。
さらに、ディスク外周が２方向からトレイのディスク係止部とディスク保持部材とにより係止されているので、比較的小さな力でディスクを垂直状態に保持することができる。また、ディスク保持部材が付勢部材によりディスク係止部側に付勢されているので、ディスクを付勢部材に抗して取り付ければ良いので、ディスクの装着操作が容易に行える。
そして、ターンテーブルとクランパとの間でディスクを挟持する前にディスク押圧部材がディスクを押圧することによって、ディスク外周をディスク係止部から離間させ、且つ、係止解除部がディスク保持部材を押圧することによって、ディスク保持部材をディスク外周から離間させるため、可動ベースがクランプ側に変位すると共にディスクの係止解除動作を行うことができる。そのため、垂直状態で装着されたディスクがクランプされる前に傾くことが防止され、ディスクを正常な状態でクランプすることができる。
【００７４】
また、請求項２記載の発明によれば、ディスク押圧部材が、トレイの一側に対向する可動ベースに設けられため、可動ベースがクランプ側に変位すると共にディスクの係止解除動作を行うことができる。そのため、垂直状態で装着されたディスクがクランプされる前に傾くことが防止され、ディスクを正常な状態でクランプすることができる。
また、請求項３記載の発明によれば、ディスク押圧部材の押圧動作によりディスクの外周を、ディスクのトレイ挿入側の外周を係止するように突出形成されたディスク係止部の係止部分から離間させるため、ディスクをクランプする際にディスクがディスク係止部に接触せず、垂直状態のディスクを安定的にクランプすることができる。
【図面の簡単な説明】
【図１】本発明になるディスク装置の一実施例の分解斜視図である。
【図２】トレイのガイド溝を残してトレイを外した状態の平面図である。
【図３】可動ベース駆動機構付近の構造を示す正面図である。
【図４】トレイを下方からみた底面図である。
【図５】可動ベース駆動機構の第１スライダの構成を説明するための図である。
【図６】可動ベース駆動機構の第２スライダの構成を説明するための図である。
【図７】可動ベース駆動機構のイマージェンシーアームの構成を説明するための図である。
【図８】トレイがディスク交換位置に移動した状態を示す側面図である。
【図９】トレイがディスク交換位置に移動したときの可動ベース駆動機構の動作状態▲１▼を示す平面図である。
【図１０】トレイがディスク交換位置からＢ方向に移動し始めたときの可動ベース駆動機構の動作状態▲２▼を示す平面図である。
【図１１】トレイがＢ方向に移動するときの可動ベース駆動機構の動作状態▲３▼を示す平面図である。
【図１２】トレイがディスク収容位置に移動したときの可動ベース駆動機構の動作状態▲４▼を示す平面図である。
【図１３】トレイがディスク収容位置に移動したときの可動ベース駆動機構の動作状態▲５▼を示す平面図である。
【図１４】可動ベースがディスククランプ位置に上動した状態を示す側面図である。
【図１５】可動ベースがディスククランプ位置に上動した状態を示す正面図である。
【図１６】動作状態▲１▼〜▲５▼に対応する各動作部分のタイムチャートである。
【図１７】ディスク装置が縦向きに取り付けられた場合のトレイがディスク収容位置に移動されたクランプ前の動作状態▲１▼’を示す側面図である。
【図１８】ディスクがトレイに装着される様子を示す平面図である。
【図１９】ディスクがトレイに装着された状態を示す平面図である。
【図２０】ディスク装置が縦向きに取り付けられた場合のトレイがディスク収容位置に移動されたクランプ前の動作状態▲２▼’を示す側面図である。
【図２１】ディスク装置が縦向きに取り付けられた場合のディスクがクランプされた動作状態▲３▼’を示す側面図である。
【図２２】ディスク装置が縦向きに取り付けられた場合のディスクがクランプされた動作状態▲３▼’を示す平面図である。
【図２３】ディスク装置が縦向きに取り付けられた場合のイジェクト動作直前の動作状態▲４▼’を示す側面図である。
【図２４】ディスク装置が縦向きに取り付けられた場合のイジェクト動作直前の動作状態▲４▼’を示す平面図である。
【図２５】従来のディスク装置の平面図である。
【符号の説明】
１１  ディスク装置
１２  トレイ
１３  シャーシ
１４  フローティングシャーシ
１５  インシュレータゴム
１６  可動ベース
１７  クランパホルダ
１８  クランパ
１９  ターンテーブル
２０  ディスクモータ
２１  ピックアップ
２４  前面ベゼル
２６  可動ベース駆動機構
２７  第１スライダ
２８  第２スライダ
３０  ディスク載置部
３２  ディスクホルダ
３３  ディスク係止部
３４  イマージェンシーアーム
４０  ラック
４２  第１ガイド溝
４４  第２ガイド溝
５３，５４  トレイ支持部
５８  排出スイッチ
５９  クランプスイッチ
７１  ラック
７３  係合ピン
７６  カム溝
８１  平面部
８２  カム部
８３  ピン
８６  穴
８９，９０  傾斜溝
９３  アーム本体
９４  回転軸
９５  押圧ピン
９６  ピン
１０１  ディスク
１０２  ばね
１０６  駆動モータ
【図１】
0003550958.tif 000002
【図２】
0003550958.tif 000003
【図３】
0003550958.tif 000004
【図４】
0003550958.tif 000005
【図５】
0003550958.tif 000006
【図６】
0003550958.tif 000007
【図７】
0003550958.tif 000008
【図８】
0003550958.tif 000009
【図９】
0003550958.tif 000010
【図１０】
0003550958.tif 000011
【図１１】
0003550958.tif 000012
【図１２】
0003550958.tif 000013
【図１３】
0003550958.tif 000014
【図１４】
0003550958.tif 000015
【図１５】
0003550958.tif 000016
【図１６】
0003550958.tif 000017
【図１７】
0003550958.tif 000018
【図１８】
0003550958.tif 000019
【図１９】
0003550958.tif 000020
【図２０】
0003550958.tif 000021
【図２１】
0003550958.tif 000022
【図２２】
0003550958.tif 000023
【図２３】
0003550958.tif 000024
【図２４】
0003550958.tif 000025
【図２５】
0003550958.tif 000026